(57)【特許請求の範囲】
【請求項１】
ベースシートと、
前記ベースシートの一方の面に熱圧着されたポリオレフィンシートと、
を備え、
前記ポリオレフィンシートが取り付けられていない前記ベースシートの他方の面が、頭部装着物の裏面に面する状態で該頭部装着物に取り付けられ、
前記ベースシートの前記一方の面側の平面視において、前記ベースシートの外縁の少なくとも一部の近傍に、前記ポリオレフィンシートが存在しない縫着領域が設けられており、
前記ベースシートは、略四辺形の平面形状を有し、少なくとも対向する２つの辺の近傍に縫着領域と、前記縫着領域に挟まれた１つの略四辺形の前記ポリオレフィンシートの領域とが設けられることを特徴とする滑り止め部材。
【請求項２】
前記ベースシートが樹脂シートからなることを特徴とする請求項１に記載の滑り止め部材。
【請求項３】
前記頭部装着物の裏面の前頭部、揉み上げ部及び襟足部の少なくとも一部に取り付けられることを特徴とする請求項１または２に記載の滑り止め部材。
【請求項４】
前記頭部装着物が、かつらベースまたはかつら用インナーキャップであることを特徴とする請求項１から３の何れか１項に記載の滑り止め部材。
【発明の詳細な説明】
【技術分野】
【０００１】
本開示は、頭部に装着する頭部装着物に用いる滑り止め部材に関し、特に、かつらに関連するする頭部装着物に用いる滑り止め部材に関する。
【背景技術】
【０００２】
かつらが、装飾用、医療用をはじめとして広く用いられている。自毛を有する被装着者がかつらを装着する場合には、例えば、かつらベースの裏面に取り付けられた留め具で自毛を挟み込んで、かつらを被装着者の頭部に固定することができる。しかし、自毛を有さない被装着者や頭皮が弱い被装着者では、そのような留め具を用いることができない場合がある。
これに対処するため、かつらの下に装着するインナーキャップの内周面の数カ所に、シリコンゴムシートを取り付けたものが提案されている（例えば、特許文献１参照）。
【先行技術文献】
【特許文献】
【０００３】
【特許文献１】特開２００４−３５３１２７号
【発明の概要】
【発明が解決しようとする課題】
【０００４】
しかしながら、シリコンは、滑り止め効果はあるが接着性がないので、縫製等でシリコンゴムシートをインナーキャップに取り付ける必要がある。その場合、シリコンは引裂き強度が極めて低いので、縫着箇所から破損が生じて、耐久性に問題が生じる場合がある。
【０００５】
本開示は、上記の課題を解決するものであり、自毛を有さない被装着者や頭皮が弱い被装着者の頭部であっても頭部装着物を固定可能な滑り止め部材であって、優れた滑り止め性能とともに高い耐久性を有する滑り止め部材を提供することを目的とする。
【課題を解決するための手段】
【０００６】
上記の課題を解決するため、本開示の１つの実施態様は、
ベースシートと、
前記ベースシートの一方の面に熱圧着されたポリオレフィンシートと、
を備え、
前記ポリオレフィンシートが取り付けられていない前記ベースシートの他方の面が、頭部装着物の裏面に面する状態で該頭部装着物に取り付けられる滑り止め部材である。
【発明の効果】
【０００７】
本開示によれば、頭部に装着する頭部装着物に用いる滑り止め部材であって、優れた滑り止め性能とともに高い耐久性を有する滑り止め部材を提供することができる。
【図面の簡単な説明】
【０００８】
【図１Ａ】本開示の第1の実施形態に係る滑り止め部材を模式的に示す平面図である。
【図１Ｂ】本開示の第２の実施形態に係る滑り止め部材を模式的に示す平面図である。
【図１Ｃ】本開示の第３の実施形態に係る滑り止め部材を模式的に示す平面図である。
【図２Ａ】図１Ａまたは図１Ｂの矢視Ａ−Ａを模式的に示す側面図であって、更に頭部装着物に取り付けられた場合を示す図である。
【図２Ｂ】図１Ｃの矢視Ｂ−Ｂを模式的に示す側面図であって、更に頭部装着物に取り付けられた場合を示す図である。
【図３】本開示の第４の実施形態に係る滑り止め部材を模式的に示す平面図である。
【図４】図３の矢視Ｃ−Ｃを模式的に示す側面図であって、更に頭部装着物に取り付けられた場合を示す図である。
【図５Ａ】本開示の実施例である滑り止め部材が、インナーキャップ裏面の前頭部に取り付けられたところ示す図(写真）である。
【図５Ｂ】本開示の実施例である滑り止め部材が、インナーキャップ裏面のもみ上げ部に取り付けられたところ示す図(写真）である。
【図５Ｃ】本開示の実施例である滑り止め部材が、インナーキャップ裏面の襟足部に取り付けられたところ示す図(写真）である。
【発明を実施するための形態】
【０００９】
以下、図面を参照しながら、本開示を実施するための実施形態や実施例を説明する。なお、以下に説明するか滑り止め部は、本開示の技術思想を具体化するためのものであって、特定的な記載がない限り、本開示を以下のものに限定しない。各図面中、同一の機能を有する部材には、同一符号を付している場合がある。要点の説明または理解の容易性を考慮して、便宜上実施形態や実施例に分けて示す場合があるが、異なる実施形態や実施例で示した構成の部分的な置換または組み合わせは可能である。後述の実施形態や実施例では、前述と共通の事柄についての記述を省略し、異なる点についてのみ説明する。特に、同様の構成による同様の作用効果については、実施形態や実施例ごとには逐次言及しないものとする。各図面が示す部材の大きさや位置関係等は、説明を明確にするため、誇張して示している場合もある。
【００１０】
(本開示の第１〜第３の実施形態に係る滑り止め部材）
はじめに、図１Ａ〜図１Ｃを参照ながら、本開示の第１〜第３の実施形態に係る滑り止め部材の説明を行う。図１Ａは、本開示の第1の実施形態に係る滑り止め部材を模式的に示す平面図である。図１Ｂは、本開示の第２の実施形態に係る滑り止め部材を模式的に示す平面図である。図１Ｃは、本開示の第３の実施形態に係る滑り止め部材を模式的に示す平面図である。
【００１１】
滑り止め部材２は、かつらや帽子をはじめとする、頭部に装着する頭部装着物１０に取り付けられる。本実施形態では、特に、かつらに関連する頭部装着物１０に取り付けられる場合を示す。具体的には、頭部装着物１０として、かつらベースまたはかつらベースの下に装着するかつら用インナーキャップを例示できる。かつらベースは、全頭かつら用の場合だけでなく、部分かつら用の場合もあり得る。
【００１２】
何れの実施形態に係る滑り止め部材２も、ベースシート４と、ベースシート４の一方の面４Ａに熱圧着されたポリオレフィンシート６とを備える。ベースシート４として、ポリエステル製リボンテープを適宜裁断して用いる場合を例示できる。ただし、これに限られるものではなく、その他の任意の樹脂材料からなるシートを用いることができる。ベースシート４が樹脂シートからなる場合には、耐久性に富む滑り止め部材２を低い製造コストで得ることができる。
【００１３】
更に、ベースシート４として、天然繊維、合成繊維からなる布材料を用いることもできるし、その他の任意の材料のシートを用いることができる。ベースシート４は、厚みとして、０．５ｍｍ〜４ｍｍ程度を例示することができる。平面寸法として、幅が８ｍｍ〜３０ｍｍ程度、長さが１５ｍｍ〜６０ｍｍ程度を例示できる。
【００１４】
ポリオレフィンシート６は、厚みとして、０．５ｍｍ〜３ｍｍ程度を例示することができる。平面寸法として、幅が５ｍｍ〜２０ｍｍ程度、長さが１０ｍｍ〜５０ｍｍ程度を例示できる。
ポリオレフィンは、溶融温度が１６０℃以下で比較的低温なので、アイロン等を用いて、容易に他の部材に熱圧着することができる。よって、ポリオレフィンシート６を、リボンテープから得られたベースシート４に熱圧着で一体化して使用することができる。更に、様々な材料からなるベースシート４に、熱圧着で一体化して使用することができる。
【００１５】
図１Ａ〜図１Ｃに示すように、何れの実施形態においても、ベースシート４及びポリオレフィンシート６が略矩形の平面形状を有する。ベースシート４のポリオレフィンシート６が取り付けられている一方の面４Ａ側の平面視において、ベースシート４の外縁の少なくとも一部の近傍に、ポリオレフィンシート６が存在しない領域が設けられている。このポリオレフィンシート６が存在しない領域を用いて、縫製により、滑り止め部材２をかつらベースやインナーキャップの裏面に取り付けことができる。よって、このポリオレフィンシート６が存在しない領域を、縫製領域８と称することができる。
【００１６】
図１Ａに示す第１の実施形態では、ベースシート４の４辺に沿って、４つの縫着領域８Ａ〜８Ｄが設けられている。図１Ｂに示す第２の実施形態では、ベースシート４の３辺に沿って、３つの縫着領域８Ａ〜８Ｃが設けられている。図１Ｃに示す第３の実施形態では、ベースシート４の対向する２辺に沿って、２つの縫着領域８Ａ及び８Ｃが設けられている。
つまり、第1〜第３の実施形態をまとめると、ベースシート４が略四辺形の平面形状を有し、少なくとも対向する２つの辺の近傍に縫着領域８が設けられている。
【００１７】
次に、図２Ａ及び図２Ｂを参照しながら、第1〜第３の実施形態に係る滑り止め部材２を、かつらベースまたはインナーキャップに縫着する場合について説明する。図２Ａは、図１Ａまたは図１Ｂの矢視Ａ−Ａを模式的に示す側面図であって、更に頭部装着物に取り付けられた場合を示す図である。図２Ｂは、図１Ｃの矢視Ｂ−Ｂを模式的に示す側面図であって、更に頭部装着物に取り付けられた場合を示す図である。何れの図でも、縫着が明らかになるように、実際には露見しない縫い糸１２を誇張して示してある。
【００１８】
何れの場合においても、ベースシート４のポリオレフィンシート６が取り付けられていない他方の面４Ｂが、かつらベース、インナーキャップ等の頭部装着物１０の裏面１０Ａに面する状態で、この頭部装着物１０に取り付けられている。
第１または第２の実施形態に対応する図２Ａでは、対向する２辺に沿って配置された２つの縫着領域８Ａ及び８Ｃ、並びに２つの縫着領域８Ａ及び８Ｃを繋ぐ縫着領域８Ｂにおいて、縫い糸１２を用いて頭部装着物１０に縫着されている。なお、第１の実施形態では、図示されていない縫着領域８Ｄにおいても、縫い糸１２を用いて頭部装着物１０に縫着されている。
第３の実施形態に対応する図２Ｂでは、対向する２辺に沿って配置された２つの縫着領域８Ａ及び８Ｃにおいて、縫い糸１２を用いて頭部装着物１０に縫着されている。
【００１９】
従来の滑り止めとして用いられていたシリコン材料では、接着性が無いので、他のシート材に接着することができず、シリコン材料自体に縫い糸を通して、頭部装着物に縫着する必要があった。この場合、シリコン材料は引裂き強度が極めて弱く、縫製箇所から損傷が生じて、耐久性が確保できない場合があった。また、ゲル状態のシリコン材料を頭部装着物にコーティングして固化定着させる従来例も提案されているが、コーティングすることで、塗りムラによる厚さムラが生じるので、表面に凹凸が生じてフィット感が劣り、十分な滑り止め効果が得られない場合があった。
【００２０】
一方、本実施形態では、ポリオレフィンシート６を、別部材であるベースシート４に容易に熱圧着できるので、ベースシート４にだけ縫い糸１２を通して、滑り止め部材２を頭部装着物１０に縫着することができる。よって、ポリオレフィンシート６に余計な応力がかかることがなく、滑り止め部材２が頭部装着物１０に縫着された状態において、ポリオレフィンシート６をフラットな状態を保つことができる。これにより、被装着者が頭部装着物１０を装着するとき、ポリオレフィンシート６は、被装着者の頭部接触面に密着し易くなり、フィット感が向上する。特に、ポリオレフィンシート６は、滑り止め効果が高いので、優れた滑り止め性能を発揮することができる。
【００２１】
更に、ポリオレフィンシート６は、元々耐久性に優れるが、ポリオレフィンシート６自体に縫い糸１２を通されることなく、滑り止め部材２が頭部装着物１０に縫着されるので、滑り止め部材２は高い耐久性を有することができる。
【００２２】
(本開示の第４の実施形態に係る滑り止め部材）
次に、図３及び図４を参照ながら、本開示の第４の実施形態に係る滑り止め部材の説明を行う。図３は、本開示の第４の実施形態に係る滑り止め部材を模式的に示す平面図である。図４は、図３の矢視Ｃ−Ｃを模式的に示す側面図であって、更に頭部装着物に取り付けられた場合を示す図である。
【００２３】
上記の第1〜第３の実施形態では、ベースシート４よりもポリオレフィンシート６が小さく形成され、ベースシート４上にポリオレフィンシート６が存在しない縫着領域８が設けられているが、本実施形態では、ベースシート４及びポリオレフィンシート６が同じ大きさに形成されている点で異なる。本実施形態では、ベースシート４の全領域の上にポリオレフィンシート６が存在する。ベースシート４及びポリオレフィンシート６の平面寸法として、幅が８ｍｍ〜３０ｍｍ程度、長さが１５ｍｍ〜６０ｍｍ程度を例示できる。厚み寸法は、上記の第1〜第３の実施形態と同様である。
【００２４】
本実施形態では、図４に示すように、滑り止め部材２の外縁近傍において、ベースシート４及びポリオレフィンシート６の両方に縫い糸１２を通して、滑り止め部材２を頭部装着物１０に縫着する。ポリオレフィンシート６は、シリコン等に比べて耐久性に優れるので、縫製箇所から損傷が生じる虞はない。更に、ポリオレフィンシート６が熱溶着されたベースシート４の強度により、縫着による負荷の多くを負担することができるので、滑り止め部材２は、十分な耐久性を有することができる。ポリオレフィンシート６は、滑り止め効果が高いので、滑り止め部材２は、優れた滑り止め性能を発揮することができる。
【００２５】
(実施例）
次に、図５Ａ〜図５Ｃを参照しながら、上記の第１の実施形態に係る滑り止め部材２を実際に製造して、インナーキャップである頭部装着物１０に縫着した実施例について説明する。図５Ａは、本開示の実施例である滑り止め部材が、インナーキャップ裏面の前頭部に取り付けられたところ示す図(写真）である。図５Ｂは、本開示の実施例である滑り止め部材が、インナーキャップ裏面のもみ上げ部に取り付けられたところ示す図(写真）である。図５Ｃは、本開示の実施例である滑り止め部材が、インナーキャップ裏面の襟足部に取り付けられたところ示す図(写真）である。なお、滑り止め部材をもみ上げ部に取り付ける場合には、左右両側のもみ上げ部に取り付けることが好ましい。
【００２６】
このように、滑り止め部材２が頭部装着物１０の裏面の前頭部、揉み上げ部及び襟足部の少なくとも一部に取り付けられる場合には、頭部装着物１０を、露見を避けながら、確実に被装着者の頭部に固定することができる。
【００２７】
実施例に示すように、縫製により、滑り止め部材２を頭部装着物１０の任意の場所に取り付けることができる。また、取り付ける場所に応じて、滑り止め部材２の平面形状を変更することもできる。一度取り付けた後、滑り止め部材２の取り付け位置を微調整することも、比較的容易に行うことができる。また、新しい滑り止め部材２へ交換することも、比較的容易に行うことができる。
【００２８】
頭部装着物１０が、かつらベースまたはかつら用インナーキャップである場合には、滑り止め部材２により、自毛を有さない被装着者や頭皮が弱い被装着者であっても、頭部装着物１０を確実に被装着者の頭部に固定することができる。
【００２９】
（その他の実施形態）
上記の実施形態、実施例では、ベースシート４が略四辺形（例えば、矩形）の平面形状を有しているが、これに限られるものではない。ベースシート４は、円形、楕円形、雲形をはじめとするその他の任意の平面形状を有することができる。その場合、上記の第１〜第３の実施形態のように、ポリオレフィンシート６が存在しない縫着領域８を設けることもできるし、第４の実施形態にように、シート４及びポリオレフィンシート６が同じ大きさに形成されている場合もあり得る。ベース縫着領域８を設ける場合には、少なくとも２か所の縫着領域８を設けることが好ましい。
【００３０】
上記の第１〜第４の実施形態、実施例では、縫製で滑り止め部材２を頭部装着物１０に取り付けているが、これに限られるものではない。ポリオレフィンシート６が取り付けられていないベースシート４の他方の面４Ｂに接着剤等を塗布して、接着で滑り止め部材２を頭部装着物１０に取り付けることもできる。更に、接着及び縫着を併用して、滑り止め部材２を頭部装着物１０に取り付けることもできる。その場合には、滑り止め部材２を更に強固に頭部装着物１０に取り付けることができる。
【００３１】
以上のように、上記の第１〜第４の実施形態に係る滑り止め部材２は、ベースシート４と、ベースシート４の一方の面４Ａに熱圧着されたポリオレフィンシート６と、を備え、ポリオレフィンシート６が取り付けられていないベースシート４の他方の面４Ｂが、頭部装着物１０の裏面１０Ａに面する状態で頭部装着物１０に取り付けられる。これにより、自毛を有さない被装着者や頭皮が弱い被装着者の頭部であっても頭部装着物を固定可能な滑り止め部材であって、優れた滑り止め性能とともに高い耐久性を有する滑り止め部材２を提供することができる。
このため、抗がん剤治療を行っている患者が装着する医療用かつらの分野においても、有効な滑り止め部材として機能することが期待できる。
【００３２】
更に、上記の第１〜第３の実施形態に係る滑り止め部材２のように、ベースシート４の一方の面４Ａ側の平面視において、ベースシート４の外縁の少なくとも一部の近傍に、ポリオレフィンシート６が存在しない縫着領域８を有する場合には、ベースシート４部分を用いた縫着により、ポリオレフィンシート６に余計な応力を加えることなく、滑り止め部材２を確実に頭部装着物１０に取り付けることができる。
【００３３】
特に、ベースシート４が略四辺形の平面形状を有する場合において、少なくとも対向する２つの辺の近傍に縫着領域８が設けられている場合には、滑り止め部材２がめくり上がることなく、確実に頭部装着物１０に取り付けることができる。
【００３４】
以上のように、本開示の実施の形態を説明したが、本開示内容は構成の細部において変化してもよく、実施の形態における要素の組合せや順序の変化等は請求された本開示の範囲および思想を逸脱することなく実現し得るものである。
【符号の説明】
【００３５】
２      滑り止め部材
４      ベースシート
４Ａ    一方の面
４Ｂ    他方の面
６      ポリオレフィンシート
８、８Ａ〜８Ｄ  縫着領域
１０    頭部装着物（かつらベース、インナーキャップ）
１０Ａ  裏面
１２    縫い糸
【要約】
【課題】  自毛を有さない被装着者や頭皮が弱い被装着者の頭部であっても頭部装着物を固定可能な滑り止め部材であって、優れた滑り止め性能とともに高い耐久性を有する滑り止め部材を提供する。
【解決手段】  ベースシート４と、ベースシート４の一方の面４Ａに熱圧着されたポリオレフィンシート６と、を備え、ポリオレフィンシート６が取り付けられていないベースシート４の他方の面４Ｂが、頭部装着物１０の裏面１０Ａに面する状態で頭部装着物１０に取り付けられる滑り止め部材２を提供する。
【選択図】  図２Ａ【図１Ａ】
0006789361.tif 000002
【図１Ｂ】
0006789361.tif 000003
【図１Ｃ】
0006789361.tif 000004
【図２Ａ】
0006789361.tif 000005
【図２Ｂ】
0006789361.tif 000006
【図３】
0006789361.tif 000007
【図４】
0006789361.tif 000008
【図５Ａ】
0006789361.tif 000009
【図５Ｂ】
0006789361.tif 000010
【図５Ｃ】
0006789361.tif 000011